(57)【要約】【課題】穂先を損傷することなく、穂先竿を容易に元竿内に収容することができる並継式の釣竿を提供する。【解決手段】中空筒状の元竿と、該元竿の穂先側に並継式に連結される穂先竿と、前記元竿の基端部に着脱可能に取り付けられる尻栓とを備え、前記元竿は、中空筒状の元竿本体と、該元竿本体の基端部に同軸状に取り付けられた、前記尻栓と係合する中空筒状の尻リングとを備え、前記尻リングは、内径が前記元竿本体の内径よりも径大とされた、内側に前記尻栓が係入される尻栓係合部を備え、前記尻栓に前記穂先竿の基端部を保持させて前記穂先竿を尻リング側から挿入しつつ前記尻栓を前記尻栓係合部の内側に係入することにより、前記元竿本体内に前記穂先竿を収容しうるように構成されてなる釣竿であって、前記尻リングには、前記穂先竿を収容する際に、前記穂先竿を元竿本体内に誘導するように内面が傾斜した傾斜部が備えられていることを特徴とする。【選択図】  図３
2004229556.tif 000002
【特許請求の範囲】
【請求項１】
中空筒状の元竿（２）と、該元竿（２）の穂先側に並継式に連結される穂先竿（１）と、前記元竿（２）の基端部に着脱可能に取り付けられる尻栓（３）とを備え、
前記元竿（２）は、中空筒状の元竿本体（５）と、該元竿本体（５）の基端部に同軸状に取り付けられた、前記尻栓（３）と係合する中空筒状の尻リング（４）とを備え、
前記尻リング（４）は、内径が前記元竿本体（５）の内径よりも径大とされた、内側に前記尻栓（３）が係入される尻栓係合部（６）を備え、
前記尻栓（３）に前記穂先竿（１）の基端部を保持させて前記穂先竿（１）を尻リング（４）側から挿入しつつ前記尻栓（３）を前記尻栓係合部（６）の内側に係入することにより、前記元竿本体（５）内に前記穂先竿（１）を収容しうるように構成されてなる釣竿であって、
前記尻リング（４）には、前記穂先竿（１）を収容する際に、前記穂先竿（１）を元竿本体（５）内に誘導するように内面が傾斜した傾斜部（９）が備えられていることを特徴とする釣竿。
【請求項２】
前記元竿（２）は、前記元竿本体（５）の外周に同軸状に装着された筒状グリップ部（７）を備え、該筒状グリップ部（７）は、前記元竿本体（５）よりも基端方向に延在した筒状延在部（８）を有し、該筒状延在部（８）内に前記尻リング（４）が係入されている請求項１記載の釣竿。
【請求項３】
前記傾斜部（９）は、前記尻リング（４）の内側が前記尻栓係合部（６）から前記元竿本体（５）の内側に向けてテーパー状に縮径するように環状に形成されてなる請求項１又は２記載の釣竿。
【発明の詳細な説明】
【０００１】
【発明の属する技術分野】
本発明は、並継式の釣竿に関し、詳しくは、元竿と穂先竿を備え、穂先竿の基端部を元竿の先端側から嵌入することにより元竿と穂先竿とが連結される釣竿に関する。
【０００２】
【従来の技術】
一般に、筏竿のように比較的ガイドが密に備えられている釣竿等に於いては、元竿と穂先竿との連結に並継式の機構が採用されている。
そして、この種の釣竿としては、前記尻栓に前記穂先竿の基端部を保持させて前記穂先竿を前記元竿の内側に基端側から挿入することにより、前記穂先竿を元竿内に収容しうるように構成されてなるものが知られている（特許文献１参照）。
【０００３】
【特許文献１】
実公昭４６−１５６３７号公報
【０００４】
【発明が解決しようとする課題】
そして、この種の釣竿として、具体的には、図４に示す構成のものが考えられる。
即ち、同図に示すように、前記元竿５１が、中空筒状の元竿本体５２と、該元竿本体５２の竿尻端部たる基端部５２ａに同軸状に取り付けられた中空筒状の尻リング５３とを備え、
前記尻リング５３は、内径が前記元竿本体５２の内径よりも径大とされ且つ内側に前記尻栓５４が着脱可能に係入される尻栓係合部５５を備え、
前記尻栓５４に前記穂先竿５０の基端部５０ａを保持させて前記穂先竿５０を尻リング５３側から挿入しつつ前記尻栓５４を前記尻栓係合部５５の内側に係入することにより、前記元竿本体５２内に前記穂先竿５０を収容しうるように構成されてなるものである。
【０００５】
斯かる構成からなる釣竿は、運搬時等に於いて、穂先竿５０を元竿本体５２内に収容することにより、穂先竿５０が邪魔になることも無く、穂先竿５０を損傷する虞も低減するという利点を有するものとなる。
【０００６】
ところで、この種の釣竿としては、穂先竿５０を基端側から挿入し易くする等の観点から、図４に示すように、前記尻栓係合部５５の内径が前記元竿本体５２の内径よりも径大に形成されることが考えられる。
しかしながら、尻栓係合部５５と元竿本体５２との内径の差から、元竿の内側に於いて、段差５７が存在し、基端側から挿入して穂先竿５０を元竿本体５２に収容する際に、この段差５７に引っ掛かって穂先を損傷する虞があるという問題を有するものとなる。
【０００７】
斯かる問題に鑑み、本発明は、穂先を損傷することなく、穂先竿を容易に元竿内に収容することができる並継式の釣竿を提供することを課題とする。
【０００８】
【課題を解決するための手段】
上記課題を解決すべく、本発明に係る釣竿は、中空筒状の元竿と、該元竿の穂先側に並継式に連結される穂先竿と、前記元竿の基端部に着脱可能に取り付けられる尻栓とを備え、
前記元竿は、中空筒状の元竿本体と、該元竿本体の基端部に同軸状に取り付けられた、前記尻栓と係合する中空筒状の尻リングとを備え、
前記尻リングは、内径が前記元竿本体の内径よりも径大とされた、内側に前記尻栓が係入される尻栓係合部を備え、
前記尻栓に前記穂先竿の基端部を保持させて前記穂先竿を尻リング側から挿入しつつ前記尻栓を前記尻栓係合部の内側に係入することにより、前記元竿本体内に前記穂先竿を収容しうるように構成されてなる釣竿であって、
前記尻リングには、前記穂先竿を収容する際に、前記穂先竿を元竿本体内に誘導するように内面が傾斜した傾斜部が備えられていることを特徴とする。
【０００９】
斯かる構成からなる釣竿に於いては、元竿本体の内径よりも径大とされた尻栓係合部の内側に穂先竿の穂先を入れ、該穂先を傾斜部の内面に沿わせつつ更に穂先方向に挿入することにより、穂先が元竿本体内に誘導されることから、穂先を損傷することなく、容易に穂先竿を収容することができる。
【００１０】
また、本発明に於いては、前記元竿が、前記竿本体の外周に同軸状に装着された筒状グリップ部を備え、該筒状グリップ部が、前記元竿本体よりも基端側に延在した筒状延在部を有し、該筒状延在部内に前記尻リングが係入されている構成を採用しても良い。
斯かる構成からなる釣竿は、柔軟性を付与すべく元竿本体を細くした場合であっても非常に握りやすいものとなり、しかも、筒状延在部に尻リングが係入されていることから、尻リングが元竿本体から脱抜する虞が少ないものとなる。
【００１１】
更に、本発明に於いて、前記傾斜部は、前記尻リングの内側が前記尻栓係合部の先端部から前記元竿本体の内側に向けてテーパー状に縮径するように環状に形成されてなるものが好ましい。
斯かる構成からなる釣竿は、穂先竿を収容する際に、元竿の内側の如何なる方位に偏心して穂先竿を挿入しても、穂先が元竿本体内に誘導されることから、より一層容易且つ安全に穂先竿を収容することができる。
【００１２】
【発明の実施の形態】
以下、本発明の実施の形態について、図面を参照しつつ説明する。
図１は、本実施形態の釣竿を示す一部破断を含む概略側面図である。
図１に示すように、本実施形態の釣竿は、中空筒状の元竿２と、該元竿２の穂先側に並継式に連結される穂先竿１と、元竿２の竿尻端部たる基端部２ａに着脱可能に取り付けられる尻栓３とを備え、穂先竿１を尻栓３に保持させて基端側（竿尻側）から挿入することにより、穂先竿１を元竿２内に収容しうるように構成されている。
前記穂先竿１は、竿尻側端部たる基端部１ａの外径が元竿２の穂先側端部たる先端部２ｂの内径と略同径に形成され、該基端部１ａを元竿２の先端部の内側に嵌入することにより、連結しうるように構成されている。
【００１３】
前記穂先竿１は、竿状に形成された穂先竿本体２０と、該穂先竿本体２０の外周側に取り付けられた複数の釣糸ガイド２１とを備えて構成され、前記穂先竿本体２０は、例えば、ガラス繊維又は炭素繊維に樹脂が含浸、硬化され、中実（ソリッド）に形成されている。
【００１４】
図２は、本実施形態の元竿２を示す一部破断を含む側面図であり、図３は、本実施形態の釣竿の要部（基端側）を示す長手方向切断断面図（長手方向に沿って切断した際の断面図）である。
図２、図３に示すように、前記元竿２は、元竿２の基体をなす中空筒状の竿管たる元竿本体５と、該元竿本体５の基端部５ａに外嵌されることにより同軸状に取り付けられた中空筒状の尻リング４と、基端側にて元竿本体５の外周に同軸状に装着された筒状グリップ部７とを備えている。
前記尻リング４は、内側に尻栓３の一部が係入される尻栓係合部６を備え、該尻栓係合部６の内側に尻栓３の一部が係入されることにより尻栓３と係合するように構成されている。
【００１５】
前記筒状グリップ部７は、元竿本体５よりも径大で且つ軸方向に短いグリップ用筒体１０を備えて構成され、該グリップ用筒体１０が元竿本体５に同軸状に外挿され、グリップ用筒体１０の先端部１０ａが樹脂２２等で元竿本体５に固定され、後端部１０ｂが尻リング４に外嵌（係合）されることにより固定され、元竿本体５とグリップ用筒体１０との間に間隙２３が形成された状態で、元竿本体５に装着されている。
前記グリップ用筒体１０は、前記元竿本体５よりも基端方向に延在した筒状延在部８を備えるように配置され、該延在部８内に前記尻リング４が係入されている。
尚、前記筒状グリップ部７の外周側には、リールを装着するためのリールシート２４が備えられている。
【００１６】
前記元竿本体５は、それぞれ炭素繊維又はガラス繊維等の強化繊維に合成樹脂を含浸させたプリプレグを用いて成型し、硬化させ焼成することにより形成されている。
【００１７】
前記尻リング４は、図３に示すように、内側に尻栓３が係入される筒状の尻栓係合部６と、前記元竿本体５と筒状グリップ部７のグリップ用筒体１０との間に介挿された筒状の介挿部１３と、該介挿部１３と前記尻栓係合部６との間に配された傾斜部９とを備えている。
【００１８】
前記介挿部１３は、介挿されることにより、上述の如く、内周が前記元竿本体５の外周と嵌合により係合し、外周がグリップ用筒体１０の内周と螺合により係合した状態となっている。
これによって、元竿本体５とグリップ用筒体１０と尻リング４との一体性が向上されている。即ち、グリップ用筒体１０の基端部１０ａは、尻リング４を介して元竿本体５に固定されると同時に、尻リング４は、元竿本体５から脱抜することも防止されている。
尚、尻リング４には、介挿部１３の基端側にて、介挿部１３よりも内径が径小で且つ元竿本体５の基端端面が当接したストッパー径小部２６が備えられ、介挿部１３が必要以上に穂先方向に進入することが防止されている。
【００１９】
前記傾斜部９は、穂先竿１を挿入する際に、穂先竿１を元竿本体５内に誘導するように長手方向切断断面に於いて、内面が直線状に傾斜して構成されている。
具体的には、尻リング４の内側が尻栓係合部６から前記元竿本体５の内側に向けてテーパー状に縮径するように環状に形成されてなる。
この傾斜部９の基端側端部９ａは、内径が前記尻栓係合部６と同径とされ、穂先側端部９ｂは、内径がストッパー径小部２６と同径で、元竿本体５の内径より径小若しくは同径とされている。
この傾斜部９により、尻栓係合部６から元竿本体５の内側にかけて、段差無く、内径が連続して変化するようになっている。
前記傾斜部９の内面（傾斜面）は、長手方向切断断面において、元竿本体５の軸心Ｘと交差する角度Ｒが、通常、１０度〜８０度、好ましくは３０度〜６０度の範囲に設定されている（図２参照）。
【００２０】
前記尻栓係合部６は、内側に尻栓３が係入される内径を有し、基端側端部に、フランジ部２６が形成されている。このフランジ部２６は、延在部８の基端側端部と接合することにより、尻リング４がそれ以上グリップ用筒体１０内に進入することを防止するようになっている。
前記フランジ部２６は、径方向端面たる外周面が延在部８の外周面と面一となるように設定されている。
【００２１】
前記尻栓３は、図３に示すように、基端部３ａが閉塞した筒状体で、元竿２に取り付けられた際に、外側に露出する尻栓本体１５と、該尻栓本体１５の先端側に備えられた、前記尻栓係合部６の内側に係入される係入部１６とを備えている。
前記尻栓本体１５の基端部１５ａの内側には、穂先竿１の基端部１ａを保持する穂先竿保持手段１７が設けられ、穂先竿１の基端部１ａを保持しうるようになっている。
尚、図３に於いては、前記穂先竿保持手段１７として、穂先竿１の基端部１ａと係合する筒状ゴム部材１７、詳しくは、基端部１ａを挟入することにより該基端部１ａの外周部と係合する中空孔を備えた筒状ゴム部材１７が示されている。
この筒状ゴム部材１７は、尻栓３内に挟入されることにより、尻栓３内に係合保持されている。
【００２２】
本実施形態の釣竿は、上記の如く、尻リング４が介挿部１３を備え、該介挿部１３がグリップ用筒体１０と元竿本体５との間に介挿されることにより、該介挿部１３の外周がグリップ用筒体１０の内周と係合し、内周が元竿本体５の外周と係合していることから、グリップ用筒体１０の基端部１０ａを元竿本体５に固定することができると共に、尻リング４に上記の如き傾斜部９が備えられてなるので、穂先竿１を収容する際に、如何なる方位に偏心しても、穂先を傾斜部９に沿わせて元竿本体５内に誘導できることから、穂先を損傷することなく、穂先竿１を容易に収容することができるという利点を有する。
【００２３】
尚、本実施形態の釣竿は、上記の如く構成されたが、本発明に於いては上記構成に限定されず、適宜設計変更可能である。
例えば、本実施形態に於いては、傾斜部９は、長手方向切断断面に於いて、内面が直線状に傾斜して構成されたが、内面が曲線状に傾斜する場合であっても本発明の意図する範囲内である。
【００２４】
【発明の効果】
以上のように、本発明に係る釣竿は、穂先を損傷することなく、穂先竿を容易に元竿内に収容することができる並継式の釣竿となる。
【図面の簡単な説明】
【図１】一実施形態の釣竿を示す一部破断を含む概略側面図。
【図２】同実施形態の元竿を示す一部破断を含む概略側面図。
【図３】同実施形態の要部を示す長手方向切断概略断面図。
【図４】従来の釣竿を示す一部破断を含む概略側面図。
【符号の説明】
１    ・・・  穂先竿
２    ・・・  元竿
３    ・・・  尻栓
４    ・・・  尻リング
５    ・・・  元竿本体
６    ・・・  尻栓係合部
７    ・・・  筒状グリップ部
８    ・・・  延在部
９    ・・・  傾斜部
【図１】
2004229556.tif 000003
【図２】
2004229556.tif 000004
【図３】
2004229556.tif 000005
【図４】
2004229556.tif 000006